(57)【要約】【課題】  カーテンポール設置位置の自由度が大きく、カーテンポールを所望の高さに設置することができるカーテンポール用ブラケットを提供する。【解決手段】  壁面等に固定されるベースと、カーテンポールを先端部において支持するアームからなるカーテンポール用ブラケットにおいて、ベースの前面にカーテンポール長手方向に直交する溝とその溝を挟む両側壁を形成し、その溝内においてアームの根元部を両側壁にカーテンポール長手方向に直交する方向に回動可能に軸着し、アームの角度位置を回り止め部材により規定する。【選択図】      図２
2006325614.tif 000002
【特許請求の範囲】
【請求項１】
壁面等に固定されるベースと、カーテンポールを先端部において支持するアームからなるカーテンポール用ブラケットにおいて、前記ベースは、前面にカーテンポール長手方向に直交する溝と前記溝を囲む両側壁を備え、前記アームは、根元部が前記溝内おいて前記両側壁にカーテンポール長手方向に直交する方向に回動可能に軸着され、角度位置が回り止め部材を介して規定されることを特徴とするカーテンポール用ブラケット。
【請求項２】
回り止め部材はピン又は止めネジからなり、アームには、カーテンポール長手方向に貫通するピン孔又は止めネジ孔が穿設され、ベースの両側壁の一方又は双方には、前記アームのピン孔又は止めネジ孔と連通可能な複数のピン孔又は止めネジ通し孔が穿設され、前記ピン又は止めネジが、前記アームのピン孔又は止めネジ孔と連通する前記側壁のピン孔又は止めネジ通し孔に挿通すると、前記根元部が回り止めされることを特徴とする請求項１に記載のカーテンポール用ブラケット。
【請求項３】
回り止め部材は、弾性的にカーテンポール長手方向に開閉するラチェットであり、前記ラチェットは、アームをカーテンポール長手方向に貫通するラチェット内装孔に開閉操作可能に内装され、前記ラチェットと係合する複数のラチェット段がベースの両側壁の内面に形成され、前記ラチェットは、閉じると、前記ラチェット段から離れ、開くと、前記ラチェット段の一つと係合して前記根元部が回り止めされることを特徴とする請求項１に記載のカーテンポール用ブラケット。
【請求項４】
ラチェットは、ベースの両側壁前方においてアームのラチェット内装孔から両側に突出するつまみを備え、前記つまみを内側につまむと、ラチェットは閉じ、放すと、前記ラチェットは開くことを特徴とする請求項３に記載のカーテンポール用ブラケット。
【請求項５】
アームは、先端部と根元部が別体であり、前記先端部の後半部は、前記根元部の前半部に軸方向移動可能に外嵌され、前記根元部前半部にピン孔又は止めネジ孔が穿設され、前記先端部後半部に前記ピン孔又は止めネジ孔を内包する長孔又はスリットが設けられ、前記先端部は位置決め部材を介して軸方向位置が規定されることを特徴とする請求項２に記載のカーテンポール用ブラケット。
【請求項６】
アームは、先端部と根元部が別体であり、前記先端部の後半部は、前記根元部の前半部に軸方向移動可能に外嵌され、前記根元部前半部にラチェット内装孔が設けられ、前記先端部後半部に前記ラチェット内装孔を内包する長孔又はスリットが設けられ、前記先端部は位置決め部材を介して軸方向位置が規定されることを特徴とする請求項３又は４に記載のカーテンポール用ブラケット。
【請求項７】
位置決め部材は、小ネジであり、根元部前半部には、小ネジ孔が穿設され、先端部後半部には、前記小ネジ孔と連通可能な複数の小ネジ通し孔が穿設されることを特徴とする請求項５又は６に記載のカーテンポール用ブラケット。
【請求項８】
根元部前半部は角軸状であり、先端部後半部は角筒状であることを特徴とする請求項５又６に記載のカーテンポール用ブラケット。
【発明の詳細な説明】
【技術分野】
【０００１】
本発明は、カーテンポールを壁面等に取り付けるために使用されるブラケットに関する。
【背景技術】
【０００２】
円柱状のカーテンポールを壁面等に取り付けるために使用される従来のブラケットは、壁面等に固定されるベースと、そのベースに脱着可能に固定されるアームとからなり、カーテンポールをアーム先端のカーテンポール支持部に挿通して支持する。しかし、このブラケットは、カーテンポールの設置位置がベースの取付位置に規定されるため、カーテンポール設置位置の自由度が小さく、カーテンポールは必ずしも所望の高さに設置できるとは限らないという問題がある。例えば、所望のカーテンポール高さに対応するベース取付位置が下地材のない壁面等の場合は、所望の高さにカーテンポールを設置することはできない。
【特許文献１】意匠公報第９９７８３４号公報
【発明の開示】
【発明が解決しようとする課題】
【０００３】
本発明は、この問題を解決するためになされたものであり、その課題は、カーテンポール設置位置の自由度が大きく、カーテンポールを常に所望の高さに設置することができるカーテンポール用ブラケットを提供することである。
【課題を解決するための手段】
【０００４】
前記課題を達成するため、本発明が採用する手段は、壁面等に固定されるベースと、カーテンポールを先端部において支持するアームからなるカーテンポール用ブラケットにおいて、ベースの前面にカーテンポール長手方向に直交する溝とその溝を挟む両側壁を形成し、その溝内においてアームの根元部を両側壁にカーテンポール長手方向に直交する方向に回動可能に軸着し、アームの角度位置を回り止め部材により規定することである。
【発明の効果】
【０００５】
本発明のカーテンポール用ブラケットは、上記手段により、アームとベースは相対的に複数の角度位置に固定可能となるから、アームが支持するカーテンポール設置位置の自由度は大きい。又、カーテンポールの設置位置に対するベースの壁面上の取付位置も複数となるから、カーテンポールの設置高さを変えずに、ベースの壁面上の取付位置を下地のない箇所から下地のある箇所へ変更することができる。アームを伸縮可能にすると、カーテンポール設置位置の自由度はさらに増大し、カーテンポールの設置高さのみならず壁面からの距離も変えずに、ベースの壁面上の取付位置を下地のない箇所から下地のある箇所へ変更することができる。
【発明を実施するための最良の形態】
【０００６】
回り止め部材はピン又は止めネジとすることが好ましい。この場合、アームには、カーテンポール長手方向に貫通するピン孔又は止めネジ孔を設け、ベースの両側壁の一方又は双方には、アームのピン孔又は止めネジ孔と連通可能な複数のピン孔又は止めネジ通し孔を設け、回り止め部材のピン又は止めネジは、アームのピン孔又は止めネジ孔と連通する側壁のピン孔又は止めネジ通し孔に挿通する。
【０００７】
回り止め部材は、カーテンポール長手方向に弾性的に開閉するラチェットとすることも可能である。この場合、アームには、カーテンポール長手方向に貫通するラチェット内装孔を設け、ベースの側壁の内面には、ラチェット内装孔に内装されるラチェットと係合するラチェット段を設ける。ラチェットに、ベースの両側壁の前方においてアームのラチェット内装孔から両側に突出するつまみを設け、つまみを内側につまむと、ラチェットが閉じてラチェット段から分離し、放すと、ラチェットが開いてラチェット段と係合し、アームを回り止めする。
【０００８】
アームは、先端部と根元部を別体として伸縮自在とすることが好ましい。このため、先端部の後半部は角筒状に、根元部の前半部は角軸状にそれぞれ形成し、先端部後半部を根元部前半部に軸方向移動可能に外嵌し、先端部の軸方向位置を位置決め部材を介して規定する。位置決め部材が小ネジの場合、根元部前半部に小ネジ孔を穿設し、先端部後半部にその小ネジ孔と連通可能な複数の小ネジ通し孔を穿設する。
【０００９】
回り止め部材がピン又は止めネジの場合、根元部前半部にピン孔又は止めネジ孔を設け、前記先端部後半部には、軸方向に移動しても、そのピン孔又は止めネジ孔を常に内包する大きさの長孔又はスリットが設ける。回り止め部材がラチェットの場合、根元部前半部にラチェット内装孔を設け、先端部後半部には、軸方向に移動しても、そのラチェット内装孔を常に内包する大きさの長孔又はスリットが設ける。
【実施例】
【００１０】
本発明のブラケットを図面に示す実施例に基づいて説明する。図１は、第１実施例の前面図、図２は、第１実施例の部分断面側面図である。
【００１１】
図１及び図２に示すように、カーテンポール１は、壁面２に固定されるブラケット３に両端部を支持され、カーテンポール１にはカーテンを吊り下げるリングランナー４が取り付けられる。ブラケット３は、壁面２に固定ネジ７を介して固定されるベース５と、カーテンポール１を先端において支持するアーム６からなる。
【００１２】
ベース５は、金属製のプレート８と、そのプレートに固定ネジ９を介して一体固定される合成樹脂成型品の本体１０から形成される。プレート８は壁面２に固定ネジ４を介して固定され、本体１０は前面にカーテンポール長手方向に直交する溝１１とその溝を囲む両側壁１２を備える。溝１１の奥中央をピン軸１３がカーテンポール長手方向に貫通する。両側壁１２に五つのカーテンポール長手方向に貫通する止めネジ通し穴１４が穿設される。各止めネジ通し穴１４はピン軸１３を中心とする円弧上において等角配置する。
【００１３】
アーム６は、カーテンポール１を支持する先端部１５とピン軸１３を介して両側壁１２に軸着する根元部１６からなり、先端部１５はカーテンポール１を支持する軸受け部１７を備え、根元部１６には両側壁１２の止めネジ通し穴１４と連通する止めネジ孔１８が穿設される。止めネジ１９は、一方の側壁１２の止めネジ通し穴１４から根元部１６の止めネジ孔１８にねじ込まれる。止めネジ１９は、根元部１６を回り止めし、ベース５に対するアーム６の角度位置を規定する。
【００１４】
ベース５とアーム６は、相対的に五つの角度位置に設定可能であるから、ブラケット３のカーテンポール設置位置の自由度は大きい。止めネジ１９を外すと、図２に矢印で示すように、アーム６はピン軸１３を中心に回動自在となる。そこで、アーム６を回して止めネジ孔１８を所望角度位置の止めネジ通し穴１４と連通させ、ついで、その止めネジ通し穴１４から止めネジ孔１８へ止めネジ１９をねじ込むと、アーム６はベース５に対して所望の角度位置に設定される。
【００１５】
ブラケット３を部分的に下地材のない箇所がある壁面２に取り付けるとき、ベース５のカーテンポール１を所望の高さに設置することができる取付位置は五箇所もあるから、ベース５の取付位置として壁面２の下地材のある箇所を選択することは容易である。したがって、カーテンポール１を常に所望の高さに設置することが可能となる。
【００１６】
図３は、第２実施例の部分断面側面図、図４は、図３のベースの前面図、図５は、図３のアームの中央断面図である。
【００１７】
図３及び図４に示すように、ブラケット３ａは、ベース５ａとアーム６ａからなる。ベースの本体１０ａは、前面にカーテンポール長手方向に直交する溝１１ａとその溝を囲む両側壁１２ａを備え、溝１１ａの奥中央をピン軸１３ａがカーテンポール長手方向に貫通する。両側壁１２ａの内面に五つのラチェット段２０が形成され、各ラチェット段２０はピン軸１３ａを中心とする円弧上において等角的に位置する。
【００１８】
図３及び図５に示すように、アーム６ａの根元部１６ａには、カーテンポール長手方向に貫通してラチェット段２０と係合するラチェット２１を内装するラチェット内装孔２２が設けられる。ラチェット２１は、カーテンポール長手方向に弾性的に開閉するＵ字形の合成樹脂成型品であり外側面につまみ２３を有する。つまみ２３はベース５ａの両側壁１２ａの前方においてラチェット内装孔２２から外側に突出する。
【００１９】
つまみ２３を放すと、ラチェット２１は、弾性的に開いてラチェット段２０と係合し、根元部１６ａを回り止めするから、ベース５ａに対するアーム６ａの角度位置が規定される。つまみ２３をつまむと、ラチェット２１は、閉じてラチェット段２０と分離し、根元部１６ａを回動自在とするから、ベース５ａに対するアーム６ａの角度調整が可能となる。ラチェット段２０は、底辺が水平な切り込みであるから、カーテポールの自重によりラチェット２１が外れるおそれはない。上記以外の構成及び効果は第１実施例と同じである。
【００２０】
図６は、第３実施例の部分断面側面図であり、（ａ）はアーム短縮状態を、（ｂ）はアーム伸長状態をそれぞれ示す。図７は、図６のアームの平面図である。
【００２１】
図６及び図７に示すように、ブラケット３ｂのアーム６ｂは、先端部１５ｂと根元部１６ｂが別体である。先端部１５ｂの角筒状の後半部２４は、根元部１６ｂの角軸状の前半部２５に軸方向移動可能に外嵌されるので、矢印で示すように、アーム６ｂは伸縮可能である。根元部前半部２５には小ネジ孔２６が、先端部後半部２４には小ネジ孔２６と連通可能な複数の小ネジ通し孔２７がそれぞれ穿設される。小ネジ通し穴２７に小ねじ孔２６を連通させて小ネジ２８をねじ込み、先端部１５ｂの軸方向位置すなわちアーム６ｂの長さを規定する。
【００２２】
アーム６ｂの回り止め部材は止めネジ１９である。根元部前半部２５には止めネジ孔が穿設され、先端部後半部２４にはその止めネジ孔を内包する大きさのスリット２９が設けられる。アーム６ｂが伸縮しても、止めネジ１９は常にスリット２９を貫通する。
【００２３】
小ネジ２８をねじ込む小ネジ通し孔２７を選択してアーム６ｂの全長を調整することにより、図６（ａ）、（ｂ）に示すように、カーテンポール１の壁面からの距離を変えずに、ブラケット３ｂを壁面２に固定しておいてカーテンポール１の高さを調整することが可能である。逆に、カーテンポール１の高さを固定しておいてブラケット３ｂの壁面固定位置を調整することも可能である。上記以外の構成及び効果は、第１及び第２実施例と同じである。
【図面の簡単な説明】
【００２４】
【図１】本発明のブラケットの第１実施例の前面図、
【図２】第１実施例の部分断面側面図、
【図３】第２実施例の部分断面側面図、
【図４】図３のベースの前面図、
【図５】図３のアームの中央断面図、
【図６】第３実施例の部分断面側面図、（ａ）はアーム短縮状態、（ｂ）はアーム伸長状態、
【図７】図６のアームの平面図。
【符号の説明】
【００２５】
１：カーテンポール
２：壁面
３、３ａ、３ｂ：ブラケット
４：リングランナー固定ネジ
５、５ａ、５ｂ：ベース
６、６ａ、６ｂ：アーム
７：固定ネジ
８：プレート
９：固定ネジ
１０、１０ａ：本体
１１、１１ａ：溝
１２、１２ａ：側壁
１３、１３ａ：ピン軸
１４：止めネジ通し穴
１５、１５ｂ：先端部
１６、１６ｂ：根元部
１７：軸受け部
１８：止めネジ孔１８
１９：止めネジ１９
２０：ラチェット段
２１：ラチェット
２２：ラチェット内装孔
２３：つまみ
２４：先端部後半部
２５：根元部前半部
２６：小ネジ孔２６
２７：小ネジ通し穴
２８：小ネジ２８
２９：スリット
【図１】
2006325614.tif 000003
【図２】
2006325614.tif 000004
【図３】
2006325614.tif 000005
【図４】
2006325614.tif 000006
【図５】
2006325614.tif 000007
【図６】
2006325614.tif 000008
【図７】
2006325614.tif 000009